(57)【要約】【課題】飲料の人気の高さをより正確に把握させること。【解決手段】複数種類の飲料を供給する飲料供給装置１００であって、複数種類の飲料から選択された飲料の供給を指示する指示操作を受け付けるボタン３ａ〜３ｃと、ボタン３ａ〜３ｃのいずれかが指示操作を受け付けている間、選択された飲料を所定のノズルから吐出させる制御部２０と、各飲料の販売回数を記憶する記憶部２１と、を備える。制御部２０は、連続して同じ飲料が供給され、かつ、連続して供給された飲料の供給間隔が所定期間よりも長い場合に該飲料の販売回数を１回分増加させ、連続して供給された飲料の供給間隔が所定期間よりも短い場合に、該飲料の販売回数を増加させない。【選択図】図４
2019151416.tif 000002
【特許請求の範囲】
【請求項１】
複数種類の飲料を供給する飲料供給装置において、
飲料の販売回数に基づいて変化する１種類以上の飲料を含む飲料群を表示するタッチパネルが接続される制御デバイスを備え、
前記制御デバイスは、連続して２回吐出された同じ飲料の吐出間隔が所定期間よりも短い場合に、前記同じ飲料の販売回数を１回としてカウントし、集計期間中の累積販売回数が多い上位１種類以上の飲料を前記タッチパネルに表示させる、
飲料供給装置。
【請求項２】
前記制御デバイスは、連続して２回吐出された前記同じ飲料の吐出間隔が所定期間よりも短く、且つ、前記同じ飲料の合計吐出量が所定値未満である場合に、前記同じ飲料の販売回数を１回としてカウントし、前記集計期間中の累積販売回数が多い上位１種類以上の飲料を特定し、前記タッチパネルに表示させる、
請求項１記載の飲料供給装置。
【請求項３】
飲料の販売回数に基づいて変化する１種類以上の飲料を含む飲料群をタッチパネルに表示させる制御デバイスの表示方法において、
前記制御デバイスは、飲料供給装置が連続して２回吐出した同じ飲料の吐出間隔が所定期間よりも短い場合に、前記同じ飲料の販売回数を１回として算出し、集計期間中の累積販売回数が多い上位１種類以上の飲料を前記タッチパネルに表示させる、
表示方法。
【請求項４】
連続して２回吐出された前記同じ飲料の吐出間隔が所定期間よりも短く、且つ、前記同じ飲料の合計吐出量が所定値未満である場合に、前記同じ飲料の販売回数を１回として算出し、集計期間中の累積販売回数が多い上位１種類以上の飲料を前記タッチパネルに表示させる、
請求項３記載の表示方法。
【発明の詳細な説明】
【技術分野】
【０００１】
本発明は、飲料を供給する飲料供給装置および表示方法に関する。
【背景技術】
【０００２】
従来、シロップと希釈水および／または炭酸水とを混合して飲料を製造し、製造した飲料を供給する飲料供給装置が知られている。このような飲料供給装置は、通常、複数の種類の飲料を製造し、供給することができる。
【０００３】
具体的には、飲料供給装置は、製造する飲料の選択操作を受け付ける物理ボタンを備え、その物理ボタンが押下された場合に、複数のシロップタンクにそれぞれ蓄えられた異なる種類のシロップの中から、その飲料を製造するために必要なシロップを吐出する。それと同時に、飲料供給装置は希釈水および／または炭酸水を吐出し、シロップと希釈水および／または炭酸水とを混合させて飲料を製造する。
【０００４】
さらに、飲料毎に集計した累計販売量を表示する飲料供給装置も提案されている（例えば、特許文献１参照）。この飲料供給装置では、飲料毎に吐出時間を積算し、積算した吐出時間と、飲料毎に設定された単位時間当たりの吐出量とに基づいて、各飲料の累計販売量を算出して表示する。これにより、どの飲料がよく売れたかが容易に把握することが可能となる。
【先行技術文献】
【特許文献】
【０００５】
【特許文献１】特開２０００−２７６６４９号公報
【発明の概要】
【発明が解決しようとする課題】
【０００６】
しかしながら、上述した従来技術では、飲料の人気の高さを正確に把握しようとすることが難しい場合もある。例えば、飲料Ａの一回の販売当たりの販売量が、飲料Ｂの一回の販売当たりの販売量よりも多い場合、たとえ飲料Ａを購入した顧客の数が飲料Ｂを購入した顧客の数と同じであるとしても、飲料Ａの累計販売量の方が飲料Ｂの累計販売量より多くなる。
【０００７】
この場合、購入した顧客の数が飲料Ａと飲料Ｂとで同じであるので、飲料の人気の高さでは飲料Ａも飲料Ｂも同じと考えられるが、累計販売量からそれを判断することは難しい。このようなことから、飲料の人気の高さをより正確に把握することが可能な技術の開発が強く望まれている。
【０００８】
本発明は、上記課題を解決するためになされたものであり、飲料の人気の高さをより正確に把握することが可能な飲料供給装置および表示方法を提供することを目的とする。
【課題を解決するための手段】
【０００９】
本発明の飲料供給装置は、複数種類の飲料を供給する飲料供給装置において、飲料の販売回数に基づいて変化する１種類以上の飲料を含む飲料群を表示するタッチパネルが接続される制御デバイスを備え、前記制御デバイスは、連続して２回吐出された同じ飲料の吐出間隔が所定期間よりも短い場合に、前記同じ飲料の販売回数を１回としてカウントし、集計期間中の累積販売回数が多い上位１種類以上の飲料を前記タッチパネルに表示させる。
【００１０】
また、本発明の表示方法は、飲料の販売回数に基づいて変化する１種類以上の飲料を含む飲料群をタッチパネルに表示させる制御デバイスの表示方法において、前記制御デバイスは、飲料供給装置が連続して２回吐出した同じ飲料の吐出間隔が所定期間よりも短い場合に、前記同じ飲料の販売回数を１回として算出し、集計期間中の累積販売回数が多い上位１種類以上の飲料を前記タッチパネルに表示させる。
【発明の効果】
【００１１】
本発明によれば、飲料の人気の高さをより正確に把握することができる。
【図面の簡単な説明】
【００１２】
【図１】本発明の実施の形態の飲料供給装置の正面図
【図２】本発明の実施の形態の飲料供給装置の前面扉を開いたときの内部を示す正面図
【図３】本発明の実施の形態の飲料供給装置の外部構成を示す図
【図４】本発明の実施の形態の飲料供給装置の機能ブロック図
【図５】本発明の実施の形態の飲料供給装置の制御に用いられるテーブルを示す図
【図６】本発明の実施の形態の飲料供給装置のホーム画面の表示例を示す図
【図７】本発明の実施の形態の飲料供給装置に係るブランド選択画面の表示例を示す図
【図８】本発明の実施の形態の飲料供給装置に係る飲料選択画面の表示例を示す図
【図９】本発明の実施の形態の飲料供給装置に係る押下指示画面の表示例を示す図
【図１０】本発明の実施の形態の飲料供給装置に係るフルーツ風味選択画面の表示例を示す図
【図１１】本発明の実施の形態の飲料供給装置に係る飲料選択画面の表示例を示す図
【図１２】本発明の実施の形態の飲料供給装置に係る飲料選択画面の表示例を示す図
【図１３】本発明の実施の形態の飲料供給装置の飲料の販売回数の集計例を示すフローチャート
【図１４】本発明の実施の形態の飲料供給装置が生成する履歴データの一例を示す図
【図１５】本発明の実施の形態の飲料供給装置が生成する集計データの一例を示す図
【発明を実施するための形態】
【００１３】
以下、本発明の実施の形態について、図面を参照して説明する。
【００１４】
まず、図１〜図３を用いて、本発明の実施の形態に係る飲料供給装置１００の構成の一例について説明する。図１は、本発明の実施の形態に係る飲料供給装置１００の正面図である。図２は、本発明の実施の形態に係る飲料供給装置１００の前面扉を開いたときの内部を示す正面図である。図３は、本発明の実施の形態に係る飲料供給装置の外部構成を示す図である。
【００１５】
図１に示すように、飲料供給装置１００は、開閉可能な前面扉１にタッチパネル２を備える。タッチパネル２は、飲料供給装置１００の利用者に対して飲料の選択肢を表示するとともに、利用者による飲料の選択操作を受け付ける操作受付部である。
【００１６】
具体的には、タッチパネル２は、希釈水および／または炭酸水により希釈されて主飲料を構成するメインシロップの選択肢、および、主飲料にフレーバとして添加されるトッピングシロップの選択肢を表示し、メインシロップ、および、トッピングシロップを選択する操作を利用者から受け付ける処理などを行う。タッチパネル２の表示例の詳細については後述する。
【００１７】
また、図１に示すように、タッチパネル２の下方には、物理ボタン３ａ〜３ｃが備えられている。物理ボタン３ａ〜３ｃは、利用者から飲料の吐出を指示する操作を受け付ける。また、物理ボタン３ａ〜３ｃの下方には、それぞれ、利用者が容器（グラス、カップ等）を載置する容器置き場４ａ〜４ｃが備えられている。
【００１８】
物理ボタン３ａは、容器置き場４ａに対応しており、かつ、図２に示す希釈水ノズル５ａおよびシロップノズル５０に対応している。また、物理ボタン３ｂは、容器置き場４ｂに対応しており、かつ、図２に示すノズル５ｂに対応している。また、物理ボタン３ｃは容器置き場４ｃに対応しており、かつ、図２に示す希釈水ノズル５ｃ、シロップノズル５１、および炭酸水ノズル５２に対応している。
【００１９】
利用者は、タッチパネル２において飲料の選択操作を行った後、容器置き場４ａ〜４ｃのいずれかに容器を置き、物理ボタン３ａ〜３ｃのいずれかを押下する。
【００２０】
例えば、物理ボタン３ａが押下された場合、図２に示すバックインボックス（以下、ＢＩＢという）６内のシロップがＢＩＢ用チューブポンプ２６を介してシロップノズル５０から吐出され、吐出流となる。このシロップの吐出流は、希釈水ノズル５ａから吐出される希釈水の吐出流と衝突して混合される。これにより、飲料が製造される。このようにして製造された飲料は、容器置き場４ａに置かれた容器に供給される。
【００２１】
また、例えば、物理ボタン３ｂが押下された場合、ノズル５ｂにおいて、シロップと、希釈水および／または炭酸水とが混合され、飲料が製造される。このようにして製造された飲料は、ノズル５ｂから吐出され、容器置き場４ｂに置かれた容器に供給される。
【００２２】
また、例えば、物理ボタン３ｃが押下された場合、図２に示すＢＩＢ７内のシロップがＢＩＢ用チューブポンプ２７を介してシロップノズル５１から吐出され、吐出流となる。このシロップの吐出流は、希釈水ノズル５ｃから吐出される希釈水の吐出流および／または炭酸水ノズル５２から吐出される炭酸水の吐出流と衝突して混合される。これにより、飲料が製造される。このようにして製造された飲料は、容器置き場４ｃに置かれた容器に供給される。
【００２３】
なお、上述した各飲料は、物理ボタン３ａ〜３ｃが押下されている間、容器に供給される。
【００２４】
また、上述した炭酸水ノズル５２は、ＢＩＢ６側に備えられてもよく、ＢＩＢ６側およびＢＩＢ７側の両方に備えられてもよい。
【００２５】
また、上述したＢＩＢ６、７は、冷蔵エリアに備えられる。このＢＩＢ６、７には、冷蔵保存が必要なシロップが蓄えられる。また、冷蔵保存の必要のないシロップは、後に図３を用いて説明するシロップタンク１０に格納される。
【００２６】
ここで、本実施の形態でいうシロップとは、糖分を含む濃縮液だけでなく、糖分を含まない濃縮液（例えば、緑茶、紅茶などの原液）も含むものとする。
【００２７】
また、上述したノズル５ｂは、希釈水および／または炭酸水と、メインシロップとを所定の割合で混合して主飲料を製造するとともに、希釈しない状態のトッピングシロップを主飲料に混合して飲料（以下、フレーバ添加飲料という）を製造する混合部である。ノズル５ｂで製造されたフレーバ添加飲料は、容器置き場４ｂに載置された容器にノズル５ｂから吐出される。
【００２８】
このように、メインシロップとトッピングシロップとの２種類を混同することにより、利用者に提供する飲料の味の選択肢を大幅に増やすことができる。
【００２９】
ここで、メインシロップおよびトッピングシロップは、次に説明する図３に示されたシロップタンク１０に格納されている。なお、ノズル５ｂは、上記フレーバ添加飲料を吐出する以外にも、水のみ、または、炭酸水のみの吐出も行う。
【００３０】
また、図３に示すように、飲料供給装置１００には、浄化フィルタ８、炭酸ガスボンベ９、複数のシロップタンク１０が備えられる。
【００３１】
浄化フィルタ８は、ブレードチューブ１１から供給される水道水を浄化し、浄化した水を、ブレードチューブ１２を介して飲料供給装置１００内部に供給する。ここで浄化された水は、シロップと混合される希釈水として用いられたり、または、飲料水として利用者に供給されたりする。ブレードチューブ１２は、例えば、飲料供給装置１００の内部に設けられたカーボネータ（図示略）、希釈水ノズル５ａ、５ｃ、ノズル５ｂに接続される。
【００３２】
炭酸ガスボンベ９は、炭酸ガスを蓄えている。この炭酸ガスは、ガスレギュレータ１３に設定された所定の圧力（例えば、０．６ＭＰａ）で、ブレードチューブ１４を介してカーボネータに供給される。また、この炭酸ガスは、ガスレギュレータ１３に設定された所定の圧力（例えば、０．２ＭＰａ）で、ブレードチューブ１５を介して各シロップタンク１０に供給される。
【００３３】
複数のシロップタンク１０は、それぞれ異なるシロップを蓄えている。これらのシロップは、上述したとおり、メインシロップまたはトッピングシロップとして用いられるものである。これらのシロップは、炭酸ガスボンベ９から供給されるガスの圧力により押し出され、ブレードチューブ１６を介してノズル５ｂに供給される。
【００３４】
次に、図４を用いて、本発明の実施の形態に係る飲料供給装置１００の制御部２０とその周辺の構成について説明する。図４は、本発明の実施の形態に係る飲料供給装置１００の機能ブロック図である。
【００３５】
飲料供給装置１００は、図１で説明したタッチパネル２、物理ボタン３ａ〜３ｃに加えて、制御部２０、記憶部２１、水電磁弁２３、炭酸水電磁弁２４、シロップ電磁弁２５、ＢＩＢチューブポンプ２６、２７を備える。
【００３６】
制御部２０は、ＣＰＵ（Central Processing Unit）などの制御デバイスである。制御部２０は、飲料供給装置１００に備えられた各機能部を制御する。記憶部２１は、ＲＯＭ（Read Only Memory）やＲＡＭ（Random Access Memory）などのメモリデバイスである。記憶部２１は、後に説明するテーブル２１１、制御データ２１０、履歴データ２１２、集計データ２１３などを記憶する。
【００３７】
制御部２０は、記憶部２１から読み出したデータに基づいて、タッチパネル２の制御、飲料の供給の制御、飲料の販売回数の集計などを行う。タッチパネル２の制御および飲料の販売回数の集計については、後に詳細に説明する。ここではまず、飲料の供給制御について説明する。
【００３８】
制御部２０は、タッチパネル２において利用者により飲料を選択する操作が行われると、選択された飲料の供給制御に関する制御データ２１０を記憶部２１から読み出し、読み出した制御データ２１０に基づいて飲料を供給する。この制御データ２１０は、例えば、希釈水、炭酸水、メインシロップ、および、トッピングシロップの希釈比率のデータ、その希釈比率に応じて各電磁弁（水電磁弁２３、炭酸水電磁弁２４、シロップ電磁弁２５）の開閉を制御するための設定データ、ＢＩＢ用チューブポンプ２６、２７の駆動を制御するための設定データなどである。
【００３９】
なお、以下では、各電磁弁の開閉により水、炭酸水、メインシロップ、および、トッピングシロップの供給制御を行う場合について説明するが、ポンプ等による供給制御が行われてもよい。
【００４０】
また、制御部２０は、タッチパネル２において利用者により飲料を選択する操作が行われた場合、テーブル２１１を記憶部２１から読み出す。テーブル２１１は、利用者により選択された飲料に対応する物理ボタン３ａ〜３ｃを示す情報である。
【００４１】
このテーブル２１１の一例を図５に示す。図５に示すように、このテーブル２１１には、飲料のブランドに対応付けて、そのブランドの飲料を吐出するノズルに対応する物理ボタン３ａ〜３ｃの情報が登録されている。なお、図５では、ブランドをアルファベットで示している。
【００４２】
例えば、このテーブル２１１では、ブランドＤと物理ボタン３ａとが対応付けられている。よって、利用者によりブランドＤの飲料が選択され、物理ボタン３ａが押下された場合、上述したようにして製造されたブランドＤの飲料が、物理ボタン３ａに対応する容器置き場４ａに置かれた容器に供給されることになる。
【００４３】
また、テーブル２１１では、ブランドＧと物理ボタン３ｃとが対応付けられている。よって、利用者によりブランドＧの飲料が選択され、物理ボタン３ｃが押下された場合、上述したようにして製造されたブランドＧの飲料が、物理ボタン３ｃに対応する容器置き場４ｃに置かれた容器に供給されることになる。
【００４４】
さらに、テーブル２１１では、ブランドＡ〜Ｃ、Ｅ、Ｆ、Ｈ〜Ｊ、水（飲料水）、炭酸水と物理ボタン３ｂとが対応付けられている。よって、利用者によりブランドＡ〜Ｃ、Ｅ、Ｆ、Ｈ〜Ｊ、水、炭酸水のいずれかの飲料が選択され、物理ボタン３ｂが押下された場合、上述したようにして製造された飲料（例えば、フレーバ添加飲料、水、炭酸水）が、物理ボタン３ｂに対応する容器置き場４ｂに置かれた容器に供給されることになる。なお、水、炭酸水はブランドではないが、本実施の形態では便宜上、水、炭酸水をブランドの一種として扱う。
【００４５】
また制御部２０は、物理ボタン３ａ〜３ｃのいずれかが押下されたことを検知した場合、電磁弁２３〜２５の開閉、ＢＩＢ用チューブポンプ２６、２７の駆動の少なくとも１つを制御して、水、炭酸水、メインシロップ、または、トッピングシロップを、押下された物理ボタン３ａ〜３ｃに対応するノズル（希釈水ノズル５ａ、５ｃ、ノズル５ｂ、シロップノズル５０、５１）に供給する。
【００４６】
例えば、利用者によりブランドＡ〜Ｃ、Ｅ、Ｆ、Ｈ〜Ｊのいずれかの飲料が選択され、物理ボタン３ｂが押下された場合、制御部２０は、選択されたブランドのシロップ（メインシロップ）を蓄えているシロップタンク１０とノズル５ｂとの間に設けられたシロップ電磁弁２５を開状態にさせるとともに、水電磁弁２３および／または炭酸水電磁弁２４を開状態にさせる。なお、制御部２０は、水電磁弁２３および炭酸水電磁弁２４を開状態にさせる場合、水電磁弁２３と炭酸水電磁弁２４とを交互に開状態にさせるが、それらを同時に開状態にさせてもよい。
【００４７】
これにより、シロップと、希釈水および／または炭酸水とがノズル５ｂにおいて混合され、その結果得られた飲料が、ノズル５ｂから吐出される。
【００４８】
なお、利用者によりフレーバ添加飲料が選択された場合、制御部２０は、メインシロップを蓄えているシロップタンク１０とノズル５ｂとの間に設けられたシロップ電磁弁２５に加え、利用者により選択されたフレーバ（例えば、オレンジ、グレープなどのフルーツ風味）のトッピングシロップを蓄えているシロップタンク１０とノズル５ｂとの間に設けられたシロップ電磁弁２５を開状態にさせる。
【００４９】
これにより、メインシロップに加え、トッピングシロップもノズル５ｂに供給することができ、これらと希釈水および／または炭酸水とを混合することにより、フレーバ添加飲料を製造することができる。
【００５０】
また、利用者により水が選択され、物理ボタン３ｂが押下された場合、制御部２０は、浄化フィルタ８とノズル５ｂとの間に設けられた水電磁弁２３を開状態にさせる。これにより、ノズル５ｂから水が吐出される。
【００５１】
さらに、利用者により炭酸水が選択され、ノズル５ｂに対応する物理ボタン３ｂが押下された場合、制御部２０は、カーボネータとノズル５ｂとの間に設けられた炭酸水電磁弁２４を開状態にさせる。これにより、ノズル５ｂから炭酸水が吐出される。
【００５２】
同様に、利用者によりブランドＤの飲料が選択され、物理ボタン３ａが押下された場合、制御部２０は、選択されたブランドＤのシロップを蓄えているＢＩＢ６とシロップノズル５０との間に設けられたＢＩＢ用チューブポンプ２６を所定の条件で駆動させる。これとともに、制御部２０は、水電磁弁２３を開状態にさせ、希釈水ノズル５ａから希釈水を吐出させる。
【００５３】
これにより、ブランドＤのシロップと希釈水とが混合された飲料が、容器置き場４ａに置かれた容器に供給される。
【００５４】
また、利用者によりブランドＧの飲料が選択され、物理ボタン３ｃが押下された場合、制御部２０は、選択されたブランドＧのシロップを蓄えているＢＩＢ７とシロップノズル５１との間に設けられたＢＩＢ用チューブポンプ２７を所定の条件で駆動させる。これとともに、制御部２０は、水電磁弁２３および／または炭酸水電磁弁２４を開状態にさせ、希釈水および／または炭酸水を希釈水ノズル５ｃおよび／または炭酸水ノズル５２から吐出させる。
【００５５】
これにより、ブランドＧのシロップと希釈水および／または炭酸水とが混合された飲料が、容器置き場４ｃに置かれた容器に供給される。
【００５６】
以上、制御部２０により実行される飲料の供給制御の一例について説明した。
【００５７】
次に、図６〜図９を用いて、制御部２０により実行されるタッチパネル２の画面表示の制御例について説明する。
【００５８】
ここでは、図６〜図９を用いて、例えばブランドＡのピーチ風味飲料が選択される場合の制御例について説明する。図６〜図９は、タッチパネル２の画面表示例を示す図である。
【００５９】
まず、制御部２０は、記憶部２１に記憶されたホーム画面の画像データを読み出し、そのホーム画面をタッチパネル２に表示させる。
【００６０】
ホーム画面の表示例を図６に示す。図６に示すように、ホーム画面には、カテゴリ選択ボタン３０ａ〜３０ｄ、ヘルプボタン３１、水ボタン３２、炭酸水ボタン３３が表示される。
【００６１】
カテゴリ選択ボタン３０ａ〜３０ｄは、利用者が飲料のカテゴリを選択する際に利用者によるタッチ操作（以下、押下という）を受け付けるボタンである。
【００６２】
ヘルプボタン３１は、利用者が飲料供給装置１００の操作方法（例えば、現在表示中の画面における操作方法）を知りたいときに押下するボタンである。このヘルプボタン３１が押下された場合、制御部２０は、記憶部２１に記憶された操作方法のデータを読み出し、そのデータをタッチパネル２に表示させる。
【００６３】
水ボタン３２は、利用者が飲料として水を選択する際に押下するボタンである。炭酸水ボタン３３は、利用者が飲料として炭酸水を選択する際に押下するボタンである。
【００６４】
ここで、カテゴリ選択ボタン３０ａが利用者によって押下されたことにより、制御部２０が、カテゴリ「全てのブランド」を選択する操作を受け付けたとする。この場合、制御部２０は、全てのブランド選択ボタンをタッチパネル２に表示させる。
【００６５】
例えば、制御部２０は、全てのブランド選択ボタンを含むブランド選択画面の画像データを記憶部２１から読み出し、その画面をタッチパネル２に表示させる。
【００６６】
このブランド選択画面の表示例を図７に示す。図７に示すように、このブランド選択画面には、ブランド選択ボタン３９ａ〜３９ｊが表示される。ブランド選択ボタン３９ａ〜３９ｊは、利用者が飲料のブランドを選択する際に押下されるボタンである。また、ブランド選択ボタン３９ａ〜３９ｊは、それぞれ、図５に示したブランドＡ〜Ｊに対応している。
【００６７】
また、図７に示したブランド選択画面では、画面左上方に、戻りボタン３６、３７が表示されている。戻りボタン３６は、利用者がホーム画面に戻りたいときに押下するボタンである。また、戻りボタン３７は、利用者が１つ前の画面に戻りたいときに押下するボタンである。戻りボタン３６、３７が押下された場合、制御部２０は、ホーム画面、または、１つ前の画面に表示画面を遷移させる。
【００６８】
ここで、ブランド選択ボタン３９ａ〜３９ｊのいずれかが利用者により押下されたことにより、制御部２０が、ブランドを選択する操作を受け付けたとする。ここでは例として、ブランド選択ボタン３９ａが押下されたとして説明を進める。
【００６９】
この場合、制御部２０は、記憶部２１から読み出したテーブル２１１に基づいて、選択されたブランドＡの飲料を供給するノズル（換言すれば、利用者が容器を置くべき容器置き場）に対応する物理ボタン３ｂを特定する。
【００７０】
そして、制御部２０は、選択されたブランドＡの飲料選択ボタンをタッチパネル２に表示させる。例えば、制御部２０は、記憶部２１に記憶された飲料選択画面の画像データを読み出し、その飲料選択画面をタッチパネル２に表示させる。
【００７１】
飲料選択画面の表示例を図８に示す。図８に示すように、飲料選択画面には、飲料選択ボタン４０ａ〜４０ｅが表示される。飲料選択ボタン４０ａ〜４０ｅは、利用者が飲料を選択する際に押下するボタンである。
【００７２】
ここで、飲料選択ボタン４０ａの押下により選択される飲料は、ブランドＡのシロップと、希釈水および／または炭酸水とが混合された飲料である。
【００７３】
また、飲料選択ボタン４０ｂ〜４０ｅのいずれかの押下により選択される飲料は、ブランドＡのシロップ（メインシロップ）と、水および／または炭酸水と、フルーツ風味のシロップ（トッピングシロップ）とが混合された飲料（すなわち、フレーバ添加飲料）である。図８の例では、フルーツ風味は、グレープ、オレンジ、ピーチ、レモンのいずれかとしている。
【００７４】
ここで、飲料選択ボタン４０ａ〜４０ｅのいずれかが押下されたことにより、制御部２０が、飲料を選択する操作を受け付けたとする。ここでは例として、飲料選択ボタン４０ｄが押下されたとして説明を進める。
【００７５】
この場合、制御部２０は、飲料が吐出されるノズル５ｂ（換言すれば、容器置き場４ｂ）に対応する物理ボタン３ｂの押下指示をタッチパネル２に表示させる。例えば、制御部２０は、物理ボタン３ｂを押下するように指示する押下指示の画像データを記憶部２１から読み出し、その画像をタッチパネル２に表示させる。
【００７６】
この画像を含む押下指示の画像の表示例を図９に示す。図９は、ブランドＡのピーチ風味の飲料が選択された場合の押下指示画面の一例を示す図である。
【００７７】
図９に示すように、この押下指示画面では、飲料選択ボタン４０ｄが拡大表示され、その下方にメッセージ３４および矢印３５が表示される。メッセージ３４は、利用者に飲料が吐出中である旨を報知するメッセージである。また、矢印３５は、前述の押下指示画面と同様に、物理ボタン３ｂ、ノズル５ｂ、容器置き場４ｂの位置を示すものである。
【００７８】
このような矢印３５の表示により、利用者は、押下すべき物理ボタンが物理ボタン３ｂであることを容易に認識でき、かつ、その物理ボタン３ｂに対応する容器置き場４ｂの位置に飲料が供給されることを容易に認識できる。
【００７９】
また、図９に示した押下指示画面では、画面右下方に、トッピングシロップ増量ボタン４１が表示されている。トッピングシロップ増量ボタン４１は、利用者がフルーツ風味を増加したいときに押下するボタンである。
【００８０】
このトッピングシロップ増量ボタン４１が押下されると、制御部２０は、選択されたフルーツ風味（図９の例ではピーチ風味）のトッピングシロップを所定量増加して吐出させる。
【００８１】
その後、利用者が物理ボタン３ｂを押下すると、制御部２０は、物理ボタン３ｂが押下されている間、選択された飲料（ここでは、例えばブランドＡのピーチ風味飲料）をノズル５ｂから吐出させる。このとき、選択された飲料が吐出中である旨の画像をタッチパネル２に表示させてもよい。
【００８２】
そして、利用者が物理ボタン３ｂの押下を止めると、制御部２０は、ノズル５ｂからの飲料の吐出を停止させる。このとき、飲料の吐出が終了した旨の画像をタッチパネル２に表示させてもよい。
【００８３】
そして、制御部２０は、飲料の吐出終了から一定時間（例えば、３〜１５秒程度）、その飲料の情報を保持するとともに、図９に示す押下指示画面の表示を維持するようにタッチパネル２を制御して、利用者からの物理ボタン３ｂの再度の押下操作を待ち受ける。
【００８４】
そして、制御部２０は、利用者が物理ボタン３ｂの押下操作を再度行うと、保持していた情報に基づき、直前に吐出していた飲料と同じ飲料をノズル５ｂから吐出させる。
【００８５】
これにより、利用者は、上述した飲料の選択操作を再度行うことなく、飲料の継ぎ足しを容易に行うことができる。
【００８６】
そして、飲料の吐出終了から一定時間（例えば、３〜１５秒程度）経過すると、制御部２０は、図９に示した押下指示画面の表示から、図６に示したホーム画面の表示に戻すようにタッチパネル２を制御する。
【００８７】
なお、上記説明では、利用者が図６に示したホーム画面におけるカテゴリ「全てのブランド」からブランドＡのピーチ風味飲料を選択する場合について説明したが、利用者はその他のカテゴリからブランドＡのピーチ風味飲料を選択することも可能である。
【００８８】
例えば、利用者が図６に示したホーム画面において、カテゴリ選択ボタン３０ｂを押下した場合、図１０に示すようにフルーツ風味選択画面がタッチパネル２に表示される。このフルーツ風味選択画面には、利用者がトッピングシロップのフルーツ風味を選択する際に押下するフルーツ風味選択ボタン４５ａ〜４５ｅが表示される。図１０の例では、フルーツ風味選択ボタン４５ａ〜４５ｅの押下により選択されるフルーツ風味は、それぞれ、オレンジ、グレープ、ウメ、ピーチ、レモンである。
【００８９】
ここで、例えば、利用者がフルーツ風味選択ボタン４５ｄを押下すると、図１１に示すように飲料選択画面がタッチパネル２に表示される。この飲料選択画面では、利用者が飲料を選択する際に押下する飲料選択ボタン４６ａ〜４６ｅがタッチパネル２に表示される。図１１の例では、飲料選択ボタン４６ａ〜４６ｅの押下により選択される飲料は、ブランドＡ、Ｂ、Ｃ、Ｅ、Ｆのピーチ風味飲料である。利用者は、飲料選択ボタン４６ａを押下することで、ブランドＡのピーチ風味飲料を選択することができる。その後の画面遷移は、上記説明と同様である。
【００９０】
または、例えば、利用者が図６に示したホーム画面において、カテゴリ選択ボタン３０ｃを押下した場合、図１２に示すように飲料選択画面がタッチパネル２に表示される。この飲料選択画面では、人気が高いベスト５の飲料を利用者に提示するとともに、利用者が飲料を選択する際に押下する飲料選択ボタン４７ａ〜４７ｅがタッチパネル２に表示される。人気が高いベスト５の飲料は、後に説明する飲料の累計販売回数の１位〜５位の飲料である。利用者は、飲料選択ボタン４７ｄを押下することで、ブランドＡのピーチ風味飲料を選択することができる。その後の画面遷移は、上記説明と同様である。
【００９１】
なお、例えば、利用者が図６に示したホーム画面において、カテゴリ選択ボタン３０ｄを押下した場合も、上述したカテゴリ選択ボタン３０ｃを押下した場合と同様の処理が行われる。この場合、予め定められたおすすめの飲料が図１２に示した飲料選択画面に表示される。
【００９２】
以上、制御部２０により実行されるタッチパネル２の画面表示の制御の一例について説明した。
【００９３】
次に、図１３〜図１５を用いて、制御部２０により実行される飲料の販売回数の集計例について説明する。図１３は、本発明の実施の形態の飲料供給装置１００の飲料の販売回数の集計手順の一例を示すフローチャートである。図１４は、本発明の実施の形態の飲料供給装置１００が生成する履歴データ２１２の一例を示す図である。図１５は、本発明の実施の形態の飲料供給装置１００が生成する集計データ２１３の一例を示す図である。
【００９４】
まず、制御部２０は、飲料の供給を実行する毎に、実行された飲料供給の履歴を示す履歴データ２１１を生成し、記憶部２１に記憶させる（ステップＳ１）。
【００９５】
ここで、履歴データ２１２の例について、図１４を用いて説明する。図１４は、記憶部２１に登録された複数の履歴データ２１２の一例を示している。
【００９６】
図１４に示すように、各履歴データ２１２は、データＩＤ、供給開始日時、供給終了日時、飲料ＩＤ、フルーツ増量フラグ、供給量の各情報を含む。
【００９７】
データＩＤは、履歴データ２１２の識別情報である。このデータＩＤに対応付けて、以下に説明する供給開始日時、供給終了日時、飲料ＩＤ、フルーツ増量フラグ、供給量の各情報が登録されることにより、履歴データ２１２が生成される。なお、データＩＤは、例えば、整数であり、連番で割り当てられるとする。
【００９８】
供給開始日時は、飲料の供給が開始された日時、すなわち、制御部２０が上述した飲料の供給制御を開始した日時である。供給開始日時は、例えば、年、月、日、時、分、秒により表される。
【００９９】
供給終了日時は、飲料の供給が終了した日時、すなわち、制御部２０が上述した飲料の供給制御を終了した日時である。供給終了日時は、例えば、年、月、日、時、分、秒により表される。なお、供給終了日時の代わりに、図示しないタイマにより計測された飲料の吐出時間が登録されることとしてもよい。この場合、供給終了日時は、供給開始日時と吐出時間とから容易に算出される。
【０１００】
飲料ＩＤは、供給された飲料の識別情報である。この飲料ＩＤは、例えば、図８、図１１、図１２に示した飲料選択画面で選択可能な飲料毎に予め定められている。
【０１０１】
フルーツ増量フラグは、トッピングシロップ増量ボタン４１の押下により、トッピングシロップが通常の供給よりも増量されて供給されたか否かを示す値である。制御部２０は、トッピングシロップを増量する供給（以下、トッピングシロップ増量供給という）を実行した場合、実行した供給がトッピングシロップ増量供給であることを示す値「１」をデータＩＤに対応付けて登録する。その一方で、制御部２０は、トッピングシロップ増量供給を実行しなかった場合、実行した供給がトッピングシロップ増量供給ではないことを示す値「０」をデータＩＤに対応付けて登録する。
【０１０２】
供給量は、供給された飲料の量（単位はｍｌ）である。例えば、水電磁弁２３および／または炭酸水電磁弁２４の下流側には、希釈水および／または炭酸水が単位量通過するごとにパルスを発生する流量計（図示略）が設けられている。制御部２０は、その流量計から発生するパルスをカウントすることにより、各ノズルから送出される希釈水、炭酸水、メインシロップ、トッピングシロップの流量を検出する。そして、制御部２０は、流量の検出結果に基づいて算出した飲料の供給量をデータＩＤに対応付けて登録する。
【０１０３】
以上、履歴データ２１２の一例について説明した。本実施の形態では、上述した履歴データ２１２に基づいて飲料毎の販売回数を集計する。しかし、履歴データ２１２には、所定の飲料の供給後に続けて行われた継ぎ足し供給に対応して生成されたものも含まれており、このような履歴データ２１２に基づいて販売回数を集計すると、同一の利用者に対する販売回数が重複してしまい、正確な販売回数が得られないことになる。そこで、本実施の形態では、後に説明するステップＳ４〜Ｓ７の処理を行うことで、継ぎ足し供給に対応して生成された履歴データ２１２を販売回数の集計に含めないようにする。以下、図１３のフローチャートの説明に戻る。
【０１０４】
ステップＳ１の処理の後、制御部２０は、集計日時が到来したか否か、または、集計実行指示を受け付けたか否かを判定する（ステップＳ２）。
【０１０５】
集計日時とは、販売回数の集計を行うタイミングとして、予め定められた日時である。集計日時は、例えば、飲料メーカや店舗などの飲料供給装置１００の管理者により設定され、記憶部２１に記憶されている。制御部２０は、記憶部２１から集計日時のデータを読み出し、図示しない時計手段で計測された現在日時が集計日時と一致すると、集計日時が到来したと判定する。
【０１０６】
なお、集計日時は、例えば、飲料供給装置１００の管理者により設定された集計期間（例えば、１時間など）に基づいて、制御部２０で算出されてもよい。この場合、集計日時は、所定の日時から、集計期間をＮ倍（Ｎは１以上の整数）した期間だけ経過した日時となる。
【０１０７】
集計実行指示とは、販売回数の集計の実行の指示である。例えば、飲料供給装置１００の管理者は、所望のタイミングで、タッチパネル２等において、集計実行指示の操作を行うことができる。制御部２０は、タッチパネル２において集計実行指示の操作が行われると、集計実行指示を受け付けたと判定する。
【０１０８】
ステップＳ２における判定の結果、集計日時が到来しておらず、かつ、集計実行指示を受け付けていない場合（ステップＳ２：ＮＯ）、ステップＳ１の処理が再度実行される。
【０１０９】
一方、ステップＳ２における判定の結果、集計日時が到来したか、または、集計実行指示を受け付けた場合（ステップＳ２：ＹＥＳ）、制御部２０は、記憶部２１から、集計期間内の履歴データ２１２のうち、最も古い履歴データを取得する（ステップＳ３）。
【０１１０】
ここで、図１４を用いて、ステップＳ３における履歴データ２１２の取得処理の具体例について説明する。例えば、集計期間が１時間に設定されており、集計日時である２０１４年７月１０日の１２時が到来した場合、制御部２０は、図１４において、供給開始日時が１１時〜１２時の間であるデータＩＤ１１〜データＩＤ１２０の履歴データ２１２を特定する。そして、制御部２０は、データＩＤ１１〜データＩＤ１２０の履歴データ２１２のうち、供給開始日時が最も古いデータＩＤ１１の履歴データ２１２を取得する。
【０１１１】
このように取得された履歴データ２１２は、後に説明するステップＳ４、Ｓ５、Ｓ７の判定対象となる。
【０１１２】
次に、制御部２０は、判定対象の履歴データ２１２の飲料ＩＤが前の履歴データ２１２の飲料ＩＤと同じであるか否かを判定する（ステップＳ４）。ここで、判定対象となる履歴データ２１２は、ステップＳ３で取得されたデータ、あるいは、後に説明するステップＳ８で取得されたデータである。
【０１１３】
また、前の履歴データ２１２とは、判定対象の履歴データ２１２の供給開始日時より前（過去）でその供給開始日時に最も近い供給終了日時を有する履歴データ２１２である。
【０１１４】
ここで、図１４を用いて、ステップＳ４における判定の具体例について説明する。
【０１１５】
例えば、判定対象の履歴データ２１２がデータＩＤ１１のデータである場合、制御部２０は、データＩＤ１１の履歴データ２１２の飲料ＩＤと、データＩＤ１０の履歴データ２１２の飲料ＩＤとが同じであるか否かを判定する。この場合、図１４に示すように、飲料ＩＤは「００１」と「００３」であるので、制御部２０は、両者の飲料ＩＤは同じではないと判定することになる。
【０１１６】
また、例えば、判定対象の履歴データ２１２がデータＩＤ１２のデータである場合、制御部２０は、データＩＤ１２の履歴データ２１２の飲料ＩＤと、データＩＤ１１の履歴データ２１２の飲料ＩＤとが同じであるか否かを判定する。この場合、図１４に示すように、飲料ＩＤはともに「００３」であるので、制御部２０は、両者の飲料ＩＤは同じであると判定することになる。
【０１１７】
このように、ステップＳ４では、判定対象の履歴データ２１２が示す飲料供給において供給された飲料と、前の履歴データ２１２が示す飲料供給において供給された飲料とが同じであるか否かが判定される。
【０１１８】
ステップＳ４における判定の結果、飲料ＩＤが同じではない場合（ステップＳ４：ＮＯ）、すなわち、判定対象の履歴データ２１２が示す飲料供給において供給された飲料と、前の履歴データ２１２が示す飲料供給において供給された飲料とが異なる場合、ステップＳ９の処理が実行される。このステップＳ９については後述する。
【０１１９】
一方、ステップＳ９における判定の結果、飲料ＩＤが同じである場合（ステップＳ４：ＹＥＳ）、すなわち、判定対象の履歴データ２１２が示す飲料供給において供給された飲料と、前の履歴データ２１２が示す飲料供給において供給された飲料とが同じである場合、ステップＳ５の処理が実行される。
【０１２０】
具体的には、制御部２０は、判定対象の履歴データ２１２の供給開始日時と前の履歴データ２１２の供給終了日時の差（以下、供給間隔という）が所定時間以内であるか否かを判定する（ステップＳ５）。
【０１２１】
上記所定時間とは、例えば、飲料の供給終了後における押下指示画面の表示（例えば、図９参照）からホーム画面の飲料選択画面の表示（例えば、図６参照）へ戻るまでの時間であり、３〜１５秒である。この所定時間は、例えば、飲料供給装置１００の管理者により設定されている。
【０１２２】
ここで、図１４を用いて、ステップＳ５における判定の具体例について説明する。
【０１２３】
例えば、判定対象の履歴データ２１２がデータＩＤ１２のデータである場合、制御部２０は、データＩＤ１２の履歴データ２１２の供給開始日時と、データＩＤ１１の履歴データ２１２の供給終了日時との供給間隔が所定時間（例えば、５秒とする）以内であるか否かを判定する。この場合、図１４に示すように、供給間隔は１０秒であるので、制御部２０は、供給間隔が所定時間以内ではないと判定することになる。
【０１２４】
また、例えば、判定対象の履歴データ２１２がデータＩＤ１３のデータである場合、制御部２０は、データＩＤ１３の履歴データ２１２の供給開始日時と、データＩＤ１２の履歴データ２１２の供給終了日時との供給間隔が所定時間（例えば、５秒とする）以内であるか否かを判定する。この場合、図１４に示すように、供給間隔は３秒であるので、制御部２０は、供給間隔が所定時間以内であると判定することになる。
【０１２５】
このように、ステップＳ５では、判定対象の履歴データ２１２が示す飲料供給がホーム画面に戻った後で行われた供給であるか否かが判定される。換言すれば、判定対象の履歴データ２１２が示す飲料供給が図９に示したような押下指示画面の表示中に行われた飲料供給であるか否かが判定される。
【０１２６】
ステップＳ５における判定の結果、供給間隔が所定時間以内ではない場合（ステップＳ５：ＮＯ）、すなわち、判定対象の履歴データ２１２が示す飲料供給がホーム画面に戻った後で行われた供給である場合、ステップＳ９の処理が実行される。ステップＳ９については後述する。
【０１２７】
一方、ステップＳ５における判定の結果、供給間隔が所定時間以内である場合（ステップＳ５：ＹＥＳ）、すなわち、判定対象の履歴データ２１２が示す飲料供給がホーム画面に戻った後で行われた供給ではない（換言すれば、判定対象の履歴データ２１２が示す飲料供給が押下指示画面の表示中に行われた供給である）場合、ステップＳ６の処理が実行される。
【０１２８】
具体的には、制御部２０は、合計供給量を算出し、算出した合計供給量の情報を記憶部２１に記憶させる（ステップＳ６）。合計供給量とは、飲料ＩＤが同じであり、かつ、供給間隔が所定時間内である複数の履歴データのうち、時間的に連続して登録された複数の履歴データの供給量を合計した値である。
【０１２９】
ここで、図１４を用いて、ステップＳ６における算出の具体例について説明する。以下では、図１４に示すように、データＩＤ１２、１３、１４の履歴データ２１２において、飲料ＩＤが同じで、かつ、供給間隔が所定時間内（５秒以内）となり、さらにデータＩＤ１２、１３、１４の履歴データ２１２が、時間的に連続して登録される場合について説明する。
【０１３０】
例えば、判定対象の履歴データ２１２がデータＩＤ１３のデータである場合、制御部２０は、データＩＤ１２の履歴データ２１２の供給量２６０ｍｌと、データＩＤ１３の履歴データ２１２の供給量８０ｍｌとを合計し、その結果得られた合計供給量３４０ｍｌの情報を記憶部２１に記憶させる。
【０１３１】
また、例えば、判定対象の履歴データ２１２がデータＩＤ１４のデータである場合、制御部２０は、合計供給量３４０ｍｌと、データＩＤ１４の履歴データ２１２の供給量１６０ｍｌとを合計し、その結果得られた合計供給量５００ｍｌの情報を記憶部２１に記憶させる。
【０１３２】
次に、制御部２０は、記憶部２１に記憶された合計供給量が所定量を超えるか否かを判定する（ステップＳ７）。
【０１３３】
上記所定量は、例えば、容器の容量であり、例えば、飲料供給装置１００の管理者により設定されている。
【０１３４】
ここで、図１４を用いて、ステップＳ７における判定の具体例について説明する。
【０１３５】
例えば、判定対象の履歴データ２１２がデータＩＤ１３のデータである場合、制御部２０は、上述した合計供給量３４０ｍｌが所定量（例えば、３８０ｍｌ）を超えるか否かを判定する。この場合、制御部２０は、合計供給量が所定量を超えないと判定することになる。
【０１３６】
また、例えば、判定対象の履歴データ２１２がデータＩＤ１４のデータである場合、制御部２０は、上述した合計供給量５００ｍｌが所定量（例えば、３８０ｍｌ）を超えるか否かを判定する。この場合、制御部２０は、合計供給量が所定量を超えると判定することになる。
【０１３７】
ステップＳ７における判定の結果、合計供給量が所定量を超える場合（ステップＳ７：ＹＥＳ）、すなわち、合計供給量が容器の容量を超える場合、ステップＳ９の処理が実行される。ステップＳ９については後述する。なお、合計供給量が容器の容量を超える場合、制御部２０は、記憶しておいた合計供給量をゼロに初期化する。
【０１３８】
一方、ステップＳ７における判定の結果、合計供給量が所定量を超えない場合（ステップＳ７：ＮＯ）、すなわち、合計供給量が容器の容量を超えない場合、ステップＳ８の処理が実行される。具体的には、制御部２０は、次の履歴データ２１２を取得し、それを新たな判定対象とする（ステップＳ８）。次の履歴データ２１２とは、例えば、判定対象の履歴データ２１２の供給終了日時より後（未来）でその供給終了日時に最も近い供給開始日時を有する履歴データ２１２である。
【０１３９】
このように、判定対象の履歴データ２１２が示す飲料供給において供給された飲料が前の履歴データ２１２が示す飲料供給において供給された飲料と同じであり（ステップＳ４：ＹＥＳ）、かつ、判定対象の履歴データ２１２が示す飲料供給がホーム画面に戻った後で行われたものではなく（ステップＳ５：ＹＥＳ）、かつ、合計供給量が容器の容量を超えない（ステップＳ７：ＮＯ）場合、制御部２０は、判定対象の履歴データ２１２が示す飲料供給を継ぎ足し供給であるとみなし、後に説明するステップＳ９における販売回数の集計に含めないようにする。
【０１４０】
一方、判定対象の履歴データ２１２が示す飲料供給において供給された飲料が前の履歴データ２１２が示す飲料供給において供給された飲料と異なる場合（ステップＳ４：ＮＯ）、または、判定対象の履歴データ２１２が示す飲料供給がホーム画面に戻った後で行われたものである場合（ステップＳ５：ＮＯ）、または、合計供給量が容器の容量を超えた場合（ステップＳ７：ＹＥＳ）、制御部２０は、判定対象の履歴データ２１２が示す飲料供給を継ぎ足し供給ではないとみなし、判定対象の履歴データ２１２の飲料ＩＤの販売回数をインクリメントし、記憶部２１に記憶させる（ステップＳ９）。
【０１４１】
次に、制御部２０は、集計期間内の全ての履歴データ２１２を取得したか否かを判定する（ステップＳ１０）。例えば、上述したように、ステップＳ３において集計期間内における履歴データ２１２としてデータＩＤ１１〜データＩＤ１２０の履歴データ２１２を特定した場合、制御部２０は、データＩＤ１１〜データＩＤ１２０の履歴データ２１２を全て取得したか否かを判定する。
【０１４２】
ステップＳ１０における判定の結果、集計期間内の全ての履歴データ２１２を取得していない場合（ステップＳ１０：ＮＯ）、制御部２０は、次の履歴データ２１２を取得する（ステップＳ８）。
【０１４３】
一方、ステップＳ１０における判定の結果、集計期間内の全ての履歴データ２１２を取得した場合（ステップＳ１０：ＹＥＳ）、制御部２０は、記憶した飲料ＩＤ毎の販売回数に基づいて、集計データ２１３を生成し、その集計データ２１３を記憶部２１に記憶させる（ステップＳ１１）。
【０１４４】
ここで、集計データ２１３の例について、図１５を用いて説明する。図１５は、記憶部２１に登録された集計データ２１３の一例を示す図である。なお、図１５では、１つの集計データ２１３のみを示しているが、記憶部２１には、集計が行われる毎に生成された複数の集計データ２１３が記憶されてもよい。
【０１４５】
図１５に示すように、集計データ２１３は、データＩＤ、集計期間、飲料ＩＤ、累計販売回数の各情報を含む。
【０１４６】
データＩＤは、集計データ２１３の識別情報である。このデータＩＤに対応付けて、以下に説明する集計期間、飲料ＩＤ、累計販売回数の各情報が登録されることにより、集計データ２１３が生成される。なお、データＩＤは、例えば、整数であり、連番で割り当てられるとする。
【０１４７】
集計期間は、販売回数の集計が行われた期間である。図１５の例では、集計期間は、図１３で説明した２０１４年７月１０日の１１時から１２時の間の１時間である。なお、集計期間の単位は、１時間に限定されず、例えば、２４時間、７日間、１４日間、３０日間等であってもよい。
【０１４８】
飲料ＩＤは、上述した履歴データ２１２の飲料ＩＤと同じである。
【０１４９】
累計販売回数は、販売回数の累計値である。すなわち、累計販売回数は、図１３のステップＳ８において制御部２０により飲料毎に集計された販売回数の合計値である。
【０１５０】
以上、集計データ２１３の一例について説明した。この集計データ２１３は、例えば、上述した図１２の飲料選択画面の生成に用いられる。すなわち、制御部２０は、集計データ２１３の累計販売回数において上位５つの飲料ＩＤを特定し、特定した５つの飲料ＩＤを選択するための飲料選択ボタン４７ａ〜４７ｅを含む飲料選択画面を生成する。
【０１５１】
なお、集計データ２１３は、上記飲料選択画面の生成以外に用いられてもよい。例えば、飲料供給装置１００の管理者が、記憶部２１に記憶された集計データ２１３をパーソナルコンピュータなどの情報処理装置に読み込ませ、その装置に集計データ２１３を表示させることで、販売結果を分析し、今後の販売計画などに利用してもよい。
【０１５２】
以上、制御部２０により実行される飲料の販売回数の集計例について説明した。
【０１５３】
以上のように、本実施の形態によれば、継ぎ足しによる飲料の供給を販売回数に含めないように販売回数を集計することにより、飲料毎に正確な累計販売回数を得ることができる。したがって、飲料供給装置１００の管理者等は、飲料の人気の高さをより正確に把握することが可能となる。
【０１５４】
以上、本発明の実施の形態について説明したが、本発明は上記実施の形態に限定されず、種々の変形が可能である。
【０１５５】
例えば、図１３のステップＳ６〜Ｓ７では、合計供給量が所定量を超えたか否かに基づく販売回数の判定処理について説明したが、これらの処理を省略することとしてもよい。
【０１５６】
また、例えば、図１３のステップＳ４において履歴データの飲料ＩＤが前の履歴データの飲料ＩＤと同じであると判定した場合（ステップＳ４：ＹＥＳ）、制御部２０は、ステップＳ５〜Ｓ７の代わりに以下の判定処理を行うこととしてもよい。例えば、制御部２０は、判定対象の履歴データの供給量が規定量に達しているか否かを判定する。そして、この判定の結果、供給量が規定量に達していない場合、制御部２０は上記ステップＳ８の処理を実行し、供給量が規定量に達している場合、制御部２０は上記ステップＳ９の処理を実行する。
【０１５７】
なお、上記説明では上記判定処理がステップＳ５〜Ｓ７の代わりに行われるとしたが、上記判定処理は、例えば、ステップＳ４とステップＳ５の間で行われてもよい。この場合、制御部２０は、上記判定処理において供給量が規定量に達していないと判定したときに、ステップＳ５の判定処理へ進む。
【産業上の利用可能性】
【０１５８】
本発明は、飲料を供給する飲料供給装置に有用である。
【符号の説明】
【０１５９】
１  前面扉
２  タッチパネル
３ａ、３ｂ、３ｃ  物理ボタン
４ａ、４ｂ、４ｃ  容器置き場
５ａ、５ｃ  希釈水ノズル
５ｂ  ノズル
６、７  バックインボックス
８  浄化フィルタ
９  炭酸ガスボンベ
１０  シロップタンク
１１、１２、１４、１５、１６  ブレードチューブ
１３  ガスレギュレータ
２０  制御部
２１  記憶部
２３  水電磁弁
２４  炭酸水電磁弁
２５  シロップ電磁弁
２６、２７  ＢＩＢ用チューブポンプ
３０ａ〜３０ｄ  カテゴリ選択ボタン
３１  ヘルプボタン
３２  水ボタン
３３  炭酸水ボタン
３４  メッセージ
３５  矢印
３６、３７  戻りボタン
３９ａ〜３９ｊ  ブランド選択ボタン
４０ａ〜４０ｅ、４６ａ〜４６ｅ、４７ａ〜４７ｅ  飲料選択ボタン
４１  トッピングシロップ増量ボタン
４５ａ〜４５ｅ  フルーツ風味選択ボタン
５０、５１  シロップノズル
５２  炭酸水ノズル
１００  飲料供給装置
２１０  制御データ
２１１  テーブル
２１２  履歴データ
２１３  集計データ
【図１】
2019151416.tif 000003
【図２】
2019151416.tif 000004
【図３】
2019151416.tif 000005
【図４】
2019151416.tif 000006
【図５】
2019151416.tif 000007
【図６】
2019151416.tif 000008
【図７】
2019151416.tif 000009
【図８】
2019151416.tif 000010
【図９】
2019151416.tif 000011
【図１０】
2019151416.tif 000012
【図１１】
2019151416.tif 000013
【図１２】
2019151416.tif 000014
【図１３】
2019151416.tif 000015
【図１４】
2019151416.tif 000016
【図１５】
2019151416.tif 000017